(57)【要約】【課題】吸電気掃除機において、引風量の低下を抑え集塵性能を向上させる。【解決手段】本体に着脱自在に設けた塵埃捕集用の集塵室体３を備え、前記集塵室体はその内部に電動送風機側から突出する略円筒状のフィルター１９を有すると共に、前記電動送風機とは反対側面のホース接続部に連通して集塵室体内部に位置する吸気管を備え、この吸気管の前記フィルター外周面近傍に吸気口２１を設けた構成としてある。これにより、ホースの接続口６からの吸引風はフィルター１９の外周から供給され、かつフィルター１９には多方向に吸引が働き、フィルターを軸に集塵室体内に旋回気流を発生させるものとなる。結果、塵埃を含む吸引風が集塵室体内で旋回分散し局部的塵埃付着を防止し、通風性能の向上と吸引力低下を抑えることができる。【選択図】図１
2005334553.tif 000002
【特許請求の範囲】
【請求項１】
吸引風を発生させる電動送風機を内蔵した本体と、前記本体に着脱自在に設けた塵埃捕集用の集塵室体とを備え、前記集塵室体はその内部に前記電動送風機側から突出する略円筒状のフィルターを有すると共に、前記電動送風機とは反対側面のホース接続部に連通して集塵室体内部に位置する吸気管を備え、この吸気管の前記フィルター外周面近傍に吸気口を設けた電気掃除機。
【請求項２】
吸気管の吸気口は、フィルター面に対面しない位置に形成した請求項１に記載の電気掃除機。
【請求項３】
吸気管はホース接続部から延設するとともに、同吸気管の集塵室体内に位置する端部は集塵室体内の壁面に当接させた請求項１または２のいずれか１項に記載の電気掃除機。
【請求項４】
吸気管の端部を当接させる壁面には凹又は凸状からなる受け部を形成した請求項３記載の電気掃除機。
【請求項５】
吸気管の端部開口とこれを当接させる壁面との間にシール材を介在させた請求項３または４のいずれか１項に記載の電気掃除機。
【請求項６】
吸気管はその断面形状を略円形状に形成した請求項１〜５のいずれか１項に記載の電気掃除機。
【請求項７】
吸気管は電動送風機側の内径をホース接続側よりも小さく形成した請求項１〜６のいずれか１項に記載の電気掃除機。
【請求項８】
吸気管は電動送風機側の内径をホース接続側よりも大きく形成した請求項１〜６のいずれか１項に記載の電気掃除機。
【請求項９】
吸気管はホース接続部から電動送風機側へ低く傾斜する構成とした請求項１〜８のいずれか１項に記載の電気掃除機。
【請求項１０】
吸気管は吸気口を開閉する開閉弁を備えた構成とした請求項１〜９のいずれか１項に記載の電気掃除機。
【請求項１１】
開閉弁はバネにより閉成方向に附勢する構成とした請求項１０記載の電気掃除機。
【請求項１２】
開閉弁は軟質材で形成した請求項１０記載の電気掃除機。
【請求項１３】
フィルターと吸気管との間に仕切り壁を設けてフィルター室と吸気管室に区画し、且つ仕切り壁に前記フィルター室と吸気管室とを連通させる切り欠き部を設けた請求項１〜１２のいずれか１項に記載の電気掃除機。
【請求項１４】
仕切り壁の切り欠き部はフィルター室と吸気管室とを集塵室体の内面近傍で連通させるように設けた請求項１３記載の電気掃除機。
【請求項１５】
切り欠き部に開閉弁を設けた請求項１３または１４記載の電気掃除機。
【請求項１６】
開閉弁はバネにより閉成方向に附勢する構成とした請求項１５記載の電気掃除機。
【請求項１７】
開閉弁は軟質材で形成した請求項１５記載の電気掃除機。
【請求項１８】
開閉弁は吸引によりフィルター側へ倒立する構成とした請求項１５〜１７のいずれか１項に記載の電気掃除機。
【請求項１９】
開閉弁の倒立角度が９０度以下となるように構成した請求項１８記載の電気掃除機。
【請求項２０】
集塵室体内のホース接続部から電動送風機までの吸引経路内に、第一の塵埃捕集室と、第二の塵埃捕集室を構成させた請求項１〜１２いずれか１項に記載の電気掃除機。
【発明の詳細な説明】
【技術分野】
【０００１】
本発明は一般家庭で使用される電気掃除機に関するものである。
【背景技術】
【０００２】
従来の電気掃除機は図１０に示すように構成されている。図１０において、１は塵埃を吸引するための電動送風機２を内蔵した掃除機本体で、塵埃を吸引する吸込具を接続可能にしてある。３は前記掃除機本体１に着脱自在設けた集塵室体で、微細な塵埃捕集用のメインフィルター４と、このメインフィルター４に回転自在に取付けられた粗塵捕集用のプレフィルター５ａと、前記掃除機本体１との間を密閉するパッキン６ａを内部に有し、前方に吸込具からの塵埃を取込む吸気口７ａを備えている。
【０００３】
そして、この電気掃除機は運転すると、吸込具より吸引された塵埃が前記吸気口７ａを通って前記集塵室体３内部に入る。すると、塵埃はまず粗い塵埃が前記プレフィルター５ａで捕集される。そして微細な塵埃は前記プレフィルター５ａを抜けてその奥にある前記メインフィルター４により捕集される。これらの過程を繰り返すことにより塵埃は前記集塵室体３内部に蓄積される（例えば特許文献１）。
【特許文献１】特開昭５７−６４０２７号公報
【発明の開示】
【発明が解決しようとする課題】
【０００４】
しかしながら上記従来の電気掃除機では、吸引された塵埃は前記吸気口７ａを通過後すぐに前記プレフィルター５ａに吹き付けるため、局部適に集中した塵埃付着を発生しフィルター面積の使用効率的に悪影響を及ぼし、吸引風量の早期減少へ至るという問題があった。この問題を解決するためには、吸気口７ａより吸引された吸気風と、それをろ過させるプレフィルター５ａまでの距離を増長させて吸引風の分散を図ることが考えられる。
【０００５】
本発明はこのような点に鑑みてなしたもので、塵埃がフィルターの局部に集中付着するのを抑えるようにして、吸引風量の低下を抑え集塵性能を向上させた電気掃除機を提供するものである。
【課題を解決するための手段】
【０００６】
上記課題を解決するために本発明は、集塵室体の内部に電動送風機側から突出する略円筒状のフィルターを設けると共に、前記電動送風機とは反対側面のホース接続部に連通して集塵室体内部に位置する吸気管を設け、この吸気管の前記フィルター外周面近傍に吸気口を設けたものである。
【０００７】
上記発明によれば、ホースの接続口からの吸引風はフィルターの外周から供給され、しかもフィルターが立体的に構成されているからこのフィルターには多方向に吸引が働くと共に、前記フィルター外周面に進入する吸引風の働きにより、フィルターを軸に集塵室体内に旋回気流を発生させるものとなる。結果、塵埃を含む吸引風が集塵室体内で旋回分散し局部的塵埃付着を防止する。またフィルター目詰まりの改善は通風性能の向上につながり電気掃除機における吸引力低下を抑えることができる。
【発明の効果】
【０００８】
本発明は塵埃を含む吸引風が集塵室体内で旋回分散し局部的塵埃付着を防止することができるので、フィルター目詰まりを改善して通風性能を向上させ、電気掃除機における吸引力低下を抑えることができる。
【発明を実施するための最良の形態】
【０００９】
請求項１記載の発明は、吸引風を発生させる電動送風機を内蔵した本体と、前記本体に着脱自在に設けた塵埃捕集用の集塵室体とを備え、前記集塵室体はその内部に前記電動送風機側から突出する略円筒状のフィルターを有すると共に、前記電動送風機とは反対側面のホース接続部に連通して集塵室体内部に位置する吸気管を備え、この吸気管の前記フィルター外周面近傍に吸気口を設けた構成としてある。
【００１０】
上記発明によれば、ホースの接続口からの吸引風はフィルターの外周から供給され、しかもフィルターが立体的に構成されているからこのフィルターには多方向に吸引が働くと共に、前記フィルター外周面に進入する吸引風の働きにより、フィルターを軸に集塵室体内に旋回気流を発生させるものとなる。結果、塵埃を含む吸引風が集塵室体内で旋回分散し局部的塵埃付着を防止する。またフィルター目詰まりの改善は通風性能の向上につながり電気掃除機における吸引力低下を抑えることができる。
【００１１】
請求項２記載の発明は、吸気管の吸気口をフィルター面に対面しない位置に形成した構成としてあり、フィルター外周面に進入する吸引風とフィルター間の距離が拡大するので、より吸引風の分散作用が向上し吸引力低下を抑えることができる。
【００１２】
請求項３記載の発明は、吸気管をホース接続部から延設するとともに、同吸気管の集塵室体内に位置する端部は集塵室体内の壁面に当接させた構成としてあり、延設による片持ち構造の弱点であるたわみ強度の低下の改善となる筒体の先端支持が達成され、集塵室体の剛性向上と共に前記吸気管への補強部位を廃止することができ、塵埃の捕集容量の拡大と、前記吸気管外周の凹凸形状低減による集塵室体内の旋回流の損失防止も達成することができる。
【００１３】
請求項４記載の発明は、吸気管の端部を当接させる壁面には凹又は凸状からなる受け部を形成した構成としてあり、吸気管先端の当接において、より強固な支持を達成させることができる。
【００１４】
請求項５記載の発明は、吸気管の端部とこれを当接させる壁面との間にシール材を介在させた構成としてあり、吸気管先端の当接部でのエアータイトが完全なものとなり、吸引経路に沿った確実な吸引風の流れを実現させることができる。
【００１５】
請求項６記載の発明は、吸気管の断面形状を略円形状に形成した構成としてあり、吸引風の旋回に対し抵抗の緩和が可能となって旋回作用の劣化を防止することができ、効果の安定化を達成することができる。
【００１６】
請求項７記載の発明は、吸気管の電動送風機側の内径をホース接続側よりも小さく形成した構成としてあり、吸気管内を流れる吸引風において、吸気口部の速度を上げるものとなり、吸気管内及び吸気口部での塵埃離れを向上し詰まり対策を行うことができる。
【００１７】
請求項８記載の発明は、吸気管の電動送風機側の内径をホース接続側よりも大きく形成した構成としてあり、吸引方向に内管が拡大するものとなり、吸引された塵埃が押し詰まり難くなる。よって粗大な塵埃吸い込みの頻度の高い集塵時においても、塵埃つまりが発生せずメンテナンス頻度の軽減が達成され使用性を向上させることができる。
【００１８】
請求項９記載の発明は、吸気管をホース接続部から電動送風機側へ低く傾斜する構成としてあり、集塵室体内の塵埃蓄積末期時における吸引の低風量時でも、吸気口側が低くなっているため転がり及び滑り効果が働き、塵埃の運搬性が良化し集塵効率を向上させることができる。
【００１９】
請求項１０記載の発明は、吸気管の吸気口を開閉する開閉弁を備えた構成としてあり、集塵室体に蓄積した塵埃を使用者が本体より集塵室体を取り外し、廃棄する際、集塵室体内に蓄積させた塵埃の逆流が無くなり使用性を改善することができる。
【００２０】
請求項１１記載の発明は、開閉弁をバネにより閉成方向に附勢する構成とした構成としてあり、バネの弾性作用を利用し支持させることにより、吸引風の作用が働かない状態では、前記開閉弁はバネの弾性作用により吸気口に押し圧を加えられ閉鎖を行うものとなり、より確実な閉鎖の維持ができ塵埃の逆流を対策する使用性を改善するものとなる。
【００２１】
請求項１２記載の発明は、開閉弁は軟質材で形成した構成としてあり、開閉構造において軸及び保持部を形成させることなく、軟質材の屈曲作用にて前記開閉弁の開閉動作が得られるものとなり、機械的構成の簡素化による部品及びコストの削減を図れるものとなる。
【００２２】
請求項１３記載の発明は、フィルターと吸気管との間に仕切り壁を設けてフィルター室と吸気管室に区画し、且つ仕切り壁に前記フィルター室と吸気管室とを連通させる切り欠き部を設けた構成としてあり、電動送風機により発生した吸引風は切り欠き部によりフィルター室と吸気管室を連通し、塵埃を含む吸引風は前記２室を経由するものとなる。吸気管より吸入された吸気風は、まず管内容積の広い吸気管室によって圧力緩和され、吸引塵埃の比重分別の作用が働き、細塵を優先した集塵室体への吸引が達成できるものとなる。これはフィルター面積を非効率的に閉鎖する粗大塵埃の風量劣化を遅らせ、より多くの塵埃を効率的に補集させるものとなり、集塵蓄積容量の性能向上を達成させることができる。
【００２３】
請求項１４記載の発明は、仕切り壁の切り欠き部はフィルター室と吸気管室とを集塵室体の内面近傍で連通させるように設けた構成としてあり、電動送風機の吸引を発するフィルター面と外気吸引風の取り入れ部までの距離が拡大する結果となり回転モーメントが拡大する。これは旋回する吸引風拡大となり、塵埃を含む吸引風がより旋回分散しフィルター目詰まりの改善による通風性能の向上で吸引力低下を抑えることができる。
【００２４】
請求項１５記載の発明は、切り欠き部に開閉弁を設けた構成としてあり、吸引風の発生のない状態において、開閉弁がフィルター室と吸気管室の２室を連通する切り欠き部を閉鎖することにより、集塵室体に蓄積した塵埃の逆流を防止し製品からの塵埃こぼれを防止することができる。
【００２５】
請求項１６記載の発明は、開閉弁をバネにより閉成方向に附勢する構成としてあり、バネの弾性作用を利用し支持させることにより、吸引風の作用が働かない状態では、前記開閉弁はバネの弾性作用により吸気口に押し圧を加えられ閉鎖を行うものとなり、より確実な閉鎖の維持ができ塵埃の逆流を対策する使用性を改善するものとなる。
【００２６】
請求項１７記載の発明は、開閉弁を軟質材で形成した構成としてあり、開閉構造において軸及び保持部を形成させることなく、軟質材の屈曲作用にて前記開閉弁の開閉動作が得られるものとなり、機械的構成の簡素化による部品及びコストの削減を図れるものとなる。
【００２７】
請求項１８記載の発明は、開閉弁を吸引によりフィルター側へ倒立する構成としてあり、フィルターから作用する吸引風により倒立した開閉弁は、切り欠き部と前記フィルターとの間に位置する遮蔽板となり、前記切り欠き部から進入する吸引風が直接フィルターに吸引されずに、前記遮蔽板を迂回した形で吸引されるものとなる。よって、フィルター面までの吸引風進入距離が長くなり、フィルターを中心として旋回する気流においては、回転モーメントの拡大作用による旋回風の拡大が得られるものとなる。これは、吸引風に含む塵埃の拡散効果を与え、フィルターの目詰まりを改善し通風性能吸引力低下を抑えることができる。
【００２８】
請求項１９記載の発明は、開閉弁の倒立角度が９０度以下となるように構成してあり、フィルターから作用する吸引風により９０度以下の倒立角度で動作する開閉弁は、集塵室体の外郭方向に傾斜した遮蔽板となり、前記切り欠き部から進入する吸引風が直接フィルターに吸引されずに、前記遮蔽板を迂回した形で吸引されるものとなる。よって、フィルター面までの吸引風進入距離がより長くなり、フィルターを中心として旋回する気流においては、前記効果以上の回転モーメントの拡大作用による旋回風の拡大が得られるものとなる。同じく吸引風に含む塵埃の拡散効果を与え、よりフィルターの目詰まりを改善し通風性能吸引力低下を抑えることができる。
【００２９】
請求項２０記載の発明は、集塵室体内のホース接続部から電動送風機までの吸引経路内に、第一の塵埃捕集室と、第二の塵埃捕集室を構成させてあり、吸引経路内に設けた第一の塵埃捕集室と、前記吸引経路外に設けた第二の塵埃捕集室とでは、吸引に伴う圧力差が生する。結果、捕集する塵埃の重量によって分別集塵が可能となり、吸引経路に設けたフィルター目詰まりを容易に発生させる粗大塵埃と細塵との混同補集を廃止させるものとなり、通風性の向上に伴い吸引力低下を抑えることができる。
【００３０】
以下、本発明の実施形態について図面を参照しながら説明する。なお、この実施の形態によって本発明が限定されるものではない。
【００３１】
（実施の形態１）
図１は本発明の実施の形態１における電気掃除機の全体構成を示す断面図、図２は同集塵室体の斜視図、図３は同集塵室体の開口に装着した隔壁の外観図である。
【００３２】
図１〜図３において、１は掃除機の本体で、吸引風を発生させる為の電動送風機２並びに電源コード７及び前記電動送風機２の制御を行う制御手段８を内蔵し、かつ上部に把手１１ならびに後方下部に走行部位であるローラー１２を設けてある。３は前記本体に着脱自在に設けた集塵室体で、前記本体１の前方下部係止部４ａに係合する係合部９と、本体１上部の凹部１０に嵌合する尾錠５を前記本体１の把手１１と相対し、同じく把手効果が得られる凸部１３に設けて着脱自在としてある。前記集塵室体３はその前方にホース接続部６を設けてホース１４を接続可能とし、その下方には本体１の走行部位同様キャスターローラー１５を配設してある。このように大きくは本体１と集塵室体３に大別してなる電気掃除機である。
【００３３】
次に本発明が主眼とする集塵構成について、その詳細を説明する。
【００３４】
前記集塵室体３は略半球体の形状で形成し、前記本体１への取り付け時に対面する面を開口部１６とした外郭面１７で構成し、前記開口部１６には略板状にし、且つ全周にパッキン１８と中央部に略円筒状のフィルター１９を設けた隔壁２０を着脱自在に圧入装着させている。また前記開口部１６と対面する集塵室体３前方には、ホース１４の接続部６から前記フィルター１９下方へ吸気管２２を延設させ、その吸気管２２に吸気口２１が形成してある。この吸気管２２の端部開口は、前記隔壁２０に設けた凸状の輪郭壁で形成した受け部３１に当接させて閉塞している。また、前記吸気口２１は、前記フィルター面２３にその開口が対面しないように背面側へ形成させた構成としている。前記隔壁２０に設けた吸気管２２の当接部となる受け部３１には、シール材３２を介在させ気密性を保たせている。前記吸気管２２の断面形状においては、略円状とし吸引風の整流化を行っている。
【００３５】
次に動作、作用について説明する。前記ホース１４の接続部６から吸気管２２を延設させ、その吸気口２１をフィルター１９の周面下方で開口させて、その開口が前記フィルター面２３に対面しないよう背面側に位置させていることにより、前記フィルター面２３と吸気口２１との直線的な吸引経路が形成されなくなる。結果前記フィルター面２３外周に沿った吸引風の流れが発生し、フィルター１９を軸に集塵室体３内に旋回気流２４が発生するものとなる。このことにより、吸引風が集塵室体３内で旋回分散し、それに含まれる塵埃も同じく分散がなされ、フィルター１９への局部的な塵埃の付着が対策されるものとなる。フィルター面２３の目詰まりの改善は通風性能の向上につながり、電気掃除機における吸引力低下を抑えることができる。
【００３６】
また集塵室体３の吸気管２２は、その断面形状を略円形状に形成したことにより、吸気管２２内部の吸引風の整流作用による風速度の低減緩和が可能となり、かつ、吸気管２２外周の旋回風２５に対し抵抗の緩和も行うものともなり、旋回作用の劣化を防止するので、効果の安定化を達成することができる。
【００３７】
またホース１４の接続部６から延設した吸気管２２の先端を、前記隔壁２０の凸状の輪郭壁で形成した受け部３１に当接させたことにより、これが吸気管２２の先端支持となり、延設構成による片持ち構造の弱点であった、たわみ強度の改善が達成できるものとなる。これは集塵室体３の剛性向上と共に前記吸気管２２への補強部位を廃止することができ、塵埃の捕集容量の拡大と、前記吸気管２２外周の凹凸形状低減による集塵室体３内の旋回流の損失防止も達成する。
【００３８】
またシール材３２を介在させたことにより、吸気管先端の当接部でのエアータイトが完全なものとなり、吸引経路に沿った確実な吸引風の流れを実現させることができるものとなる。
【００３９】
（実施の形態２）
図４は実施の形態２における電気掃除機の要部断面図である。なお、実施の形態１と同一符号のものは同一構造を有し、その説明は省略する。
【００４０】
図４において、３３は集塵室体３の内部に位置する吸気管２２に設けた開閉弁であり、吸気口２１を閉鎖可能なように取り付けてある。前記開閉弁３３は吸気管２１に設けた軸３４にバネ３５を付勢させ吸気口２１を閉成する方向に回動自在に取り付けある。
【００４１】
次に動作、作用について説明する。吸引の発生が無い状態では、吸気管２２内に気流の発生がなくバネ３４の弾性効果による押し圧支持により、吸気口２１を閉鎖した状態となる。また、吸引の発生が有る状態においては、開閉弁３３が集塵室体側に引き寄せられ吸気口２１が開口するものとなる。結果、電動送風機２の運転を停止し蓄積塵埃の処理動作において、前記開閉弁３３が吸気口２１を閉鎖するものとなり、集塵室体３を本体より取り外した際、前記集塵室体３に蓄積した塵埃が吸気管２２へ進入することを防止し、ホース１４の接続部６を介して外部へこぼれ落ちることを防止するものとなり使用性を改善することができる。
【００４２】
（実施の形態３）
図５は本発明の実施の形態３における電気掃除機の要部断面図である。なお、実施の形態１と同一符号のものは同一構造を有し、その説明は省略する。
【００４３】
集塵室体３の内部に位置する吸気管２２は略筒状に形成してあるが、その内径寸法は非均一な変化を与えた構成としてある。具体的にはホース１４の接続部６側の内径寸法Ａを隔壁２０側の内径寸法Ｂよりも大きくしたもので、所謂延設方向に内径寸法を縮小させたものである。
【００４４】
次に動作、作用について説明する。吸気管２２に設けられた吸気口２１は、その付近の内径寸法Ｂを縮小させたことにより、前記吸気口２１付近の吸引風は、吸引経路内断面積の減少により速度を上げるものとなる。その結果、吸引風に含まれる塵埃が前記吸気口へ付着することが防止され詰まりによる障害の対策を実現することができる。
【００４５】
（実施の形態４）
図６は本発明の実施の形態４における電気掃除機の要部断面図である。なお、実施の形態１と同一符号のものは同一構造を有し、その説明は省略する。
【００４６】
集塵室体３の内部に位置する吸気管２２は略筒状に形成してあるが、その内径寸法は非均一な変化を与えた構成としてある。具体的には先の実施の形態３とは逆にホース１４の接続部６側の内径寸法Ａを隔壁２０側の内径寸法Ｂよりも小さくしてあり、所謂延設方向に内径寸法を拡大させるものである。
【００４７】
次に動作、作用について説明する。吸気管２２に設けられた吸気口２１は、内径寸法Ｂを拡大させ延設する前記吸気管２２の先端付近に形成されることにより、前記吸気口２１付近の吸引経路内断面積は拡大するものとなる。結果、吸引方向に一致して内管が拡大するため吸引する塵埃の詰まりを軽減する。また、使用者が誤って粗大な塵埃を吸引し、前記吸気管２２への塵埃詰まりを発生させしまっても、吸気口２１への塵埃抜き取りに押し詰まり作用が働かず、容易に取り出せメンテナンス性が向上するものとなり、使用性を向上させることができる。
【００４８】
（実施の形態５）
図７は本発明の実施の形態５における電気掃除機の要部断面図である。なお、実施例１と同一符号のものは同一構造を有し、その説明は省略する。
【００４９】
集塵室体３の内部に位置する吸気管２２はホース接続部６から電動送風機２側へ低く傾斜する構成とするものである。
【００５０】
次に動作、作用について説明する。集塵室体３のホース接続部６から傾斜し延設する吸気管２１により、吸引され吸気管２２内に導かれた塵埃は、転がり及び滑り作用を受け塵埃の捕集手段である集塵室体３に導入されるものとなる。これは集塵室体３内の捕塵飽和期時における吸引風量の低下時に、塵埃運搬の補助的作用となり集塵効率を向上させることができる。
【００５１】
（実施の形態６）
図８は本発明の実施の形態６における電気掃除機の集塵室体を示す斜視図、図９は同開口側から見た集塵室体の斜視図である。なお、実施の形態１と同一符号のものは同一構造を有し、その説明は省略する。
【００５２】
図８、図９において、集塵室体３は略半球体の形状で形成し、本体１への取り付け時に対面する面を開口部１６とした外郭面で構成し、前記開口部１６には略円筒状のフィルター１９を設けた隔壁２０を着脱自在に圧入装着させている。その対面するホース１４の接続部６から前記略円筒状のフィルター１９下方へ、吸気口２１を設ける為に吸気管２２を延設させ、前記隔壁２０に当接させている。また、前記フィルター１９と吸気管２２との間には、フィルター室４８と吸気管室４９の２室を構成するように仕切り壁４１を形成し、前記仕切り壁４１には切り欠き部４２を設けている。前記切り欠け部４２は、集塵室体３の外郭内側の内面との間を連通口とするように形成してある。また、前記切り欠き部４２には、吸引風の有無により開閉を行う開閉弁４３を設けている。前記開閉弁４３は仕切り壁４１に設けた切り欠き部４２を塞ぐとともに、仕切り壁４１に設けた軸４５に取りつけている。また前記軸４５にバネ４７を付勢した構成とし、その倒立角度は切り欠き部４２からの風がフィルター側へ直接流れないような角度、例えば９０度以下となるように構成してある。
【００５３】
次に動作、作用について説明する。フィルター１９と吸気管２２との間に仕切り壁４１を形成し、前記仕切り壁４１には切り欠き部４２を設けたことにより、電動送風機２により発生した吸引風５１は吸気管室４９とフィルター室４８の２室を経由するものとなる。その作用としては、塵埃を含む吸引風５１はまず吸気管２２より吸入され、第１室目となる吸気管室４９で、管内容積の拡大による圧力変化の作用で気流の拡散が得られ、第２室目となるフィルター室４８でより旋回を与えた気流と化して塵埃の捕集を行うものとなる。気流の拡散は吸引塵埃の比重分別を生み、比重の軽い細塵を優先した集塵室体３への吸引が達成できるものとなる。これはフィルター面２３を閉鎖しやすい粗大塵埃の付着を遅らせるもので、早期風量劣化の防止を達成するものであり、より多くの塵埃を効率的に補集させるものとなる。結果、集塵蓄積容量の向上を得るものとなる。
【００５４】
また、切り欠き部４２は、集塵室体３の外郭内面側が連通口となるように形成したことにより、フィルター面２３までの吸引風５１の進入距離が長いものとなり、かつ、フィルター１９を中心として旋回する気流は回転モーメントの拡大作用が働いて旋回風の拡大が得られるものとなる。これは、吸引風５１に含む塵埃の拡散効果を与えることになり、よりフィルター１９の目詰まりを改善し通風性の改善が吸引力低下を抑えるものとなる。
【００５５】
また、前記切り欠き部４２に、吸引風の有無により開閉を行う開閉弁４３を設けたことにより、吸引風５１の発生のない状態においては、集塵室体３に蓄積した塵埃の逆流を防止することができるものとなる。また、フィルター面２３から作用する吸引風により９０度以下の倒立角度で動作する開閉弁４３は、切り欠き部４２と前記フィルター１９との間に形成した遮蔽板となる。従って、前記切り欠き部４２から進入する吸引風は直接フィルター１９に吸引されずに、前記遮蔽する開閉弁４３に衝突して迂回する形となり、フィルター面２３までの距離がより延長されるものとなる。そしてフィルターを中心として旋回する気流においては、前記効果以上の回転モーメントの拡大作用による旋回風の拡大が得られるものとなる。そしてこれらは吸引風に含む塵埃の拡散効果をあたえるものとなるから、よりフィルター面２３の目詰まりを改善し通風性能吸引力低下を抑えることができる。
【００５６】
なお、上記各実施例において吸気管２１はホースの接続口６から延設したものを例示したが、これは隔壁２０から延設してホースの接続口６に当接させるようにしたもの、或いは集塵室体３或いは隔壁２０とは別体に形成してこれら両者間に挟持させるようにしたものであっても良いものである。
【００５７】
また、上記吸気口２１に設けた開閉弁３３或いは切り欠き部４２に設けた開閉弁４３はそれ自体を弾性ゴムなどの軟質材料で形成しても良く、このような軟質材料で形成すれば、開閉構造において軸及び保持部を形成させることなく、軟質材の屈曲作用にて前記開閉弁の開閉動作が得られるものとなり、機械的構成の簡素化による部品及びコストの削減を図れるものとなる。
【産業上の利用可能性】
【００５８】
以上説明したように本発明にかかる電気掃除機は、フィルターへの塵埃の局部付着を抑えることで、吸込み力の低下を抑え、使用性および集塵性能が向上し、家庭用或いは業務用当の掃除機に好適である。
【図面の簡単な説明】
【００５９】
【図１】本発明の実施の形態１における電気掃除機の全体構成を示す断面図
【図２】同集塵室体の斜視図
【図３】同隔壁の外観図
【図４】同実施の形態２における電気掃除機要部断面図
【図５】同実施の形態３における電気掃除機の要部断面図
【図６】同実施の形態４における電気掃除機の要部断面図
【図７】同実施の形態５電気掃除機の要部断面図
【図８】同実施の形態６における電気掃除機の集塵室体を示す斜視図
【図９】同集塵室体の開口側からみた斜視図
【図１０】従来の電気掃除機の断面図
【符号の説明】
【００６０】
１  本体
２  電動送風機
３  集塵室体
６  接続部
１４  ホース
１６  開口部
１７  外郭面
１８  パッキン
１９  フィルター
２０  隔壁
２１  吸気口
２２  吸気管
２３  フィルター面
３１  受け部
３２  シール材
【図１】
2005334553.tif 000003
【図２】
2005334553.tif 000004
【図３】
2005334553.tif 000005
【図４】
2005334553.tif 000006
【図５】
2005334553.tif 000007
【図６】
2005334553.tif 000008
【図７】
2005334553.tif 000009
【図８】
2005334553.tif 000010
【図９】
2005334553.tif 000011
【図１０】
2005334553.tif 000012